(57)【要約】【課題】トレイドアがフロントパネルから脱落した場合であっても、前記トレイドアの支持軸に巻回されたねじりばねが脱落するのを抑制することができる光ディスク装置及び記録再生装置を提供する。【解決手段】フロントパネル１にはＤＶＤレコーダユニット２に備えられたディスクトレイ２１が前後進するときに出入りする開口部１１と、背面より突出された係合部１５Ｒ、１５Ｌと、表示部１４等の正面側を覆う半透明の目隠し部材１０と、係合部１５Ｒの近傍に形成された係止部１６とを備えており、目隠し部材１０のリブ１０１の先端部は、留部１６３とでねじりばね４の第２端部４２を挟持している。【選択図】図５
2008135108.tif 000002
【特許請求の範囲】
【請求項１】
光ディスクを載置することができるとともに前後進可能なディスクトレイと、
前記光ディスクを挿入又は排出するときに前記ディスクトレイが出入りする開口部を備えたフロントパネルと、
前記フロントパネルの正面側に取り付けられた半透明の目隠し部材と、
前記開口部に開閉可能に取り付けられ常時閉鎖する方向に付勢されるトレイドアとを有し、
前記フロントパネルはフロントパネルの裏面に一体突設され前記トレイドアを回動可能に支持するための一対のトレイドア取付部を備えており、
前記トレイドアは長尺形状のドア本体と、前記ドア本体の裏側に一体突設され、前記フロントパネルの背面に形成されたトレイドア取付部と係合するための一対の取付部と、前記取付部の一方に取り付けられ前記トレイドアを常時閉鎖方向に付勢するねじりばねとを備えており、
前記光ディスクにレーザ光を照射することで再生／記録を行うことができる光ディスク装置であって、
前記フロントパネルは貫通孔と、前記貫通孔の縁端部より前記フロントパネルの背面に向けて一体突設された凸部と、前記凸部の先端に一体突設され、前記貫通孔を覆うように形成された留部とを有する係止部を備えており、
前記目隠し部材は背面に一体形成され前記貫通孔に嵌入されたリブを有しており、
前記ねじりばねは螺旋部と、前記螺旋部の一方の端部を接線方向に伸ばすとともに軸方向に折り曲げ、前記フロントパネルの背面と当接するフロントパネル当接部と、他方の端部を接線方向に伸ばすとともに、前記トレイドアと係合させたトレイドア係合部とを有しており、
前記ねじりばねのフロントパネル当接部は前記貫通孔を横切るように配置されており、前記目隠し部材の前記リブと前記フロントパネルの前記係止部とで挟持されていることを特徴とする光ディスク装置。
【請求項２】
記録媒体が出入りする開口部を備えたフロントパネルと、
前記フロントパネルの正面側に取り付けられた半透明の目隠し部材と、
前記開口部に開閉可能に取り付けられ、常時閉鎖する方向に付勢されるトレイドアとを有し、
前記フロントパネルはフロントパネルの裏面に一体突設され前記トレイドアを回動可能に支持するための一対のトレイドア取付部を備えており、
前記トレイドアは長尺形状のドア本体と、前記ドア本体に一体的に形成され、前記フロントパネルの背面に形成されたトレイドア取付部と係合するための一対の取付部と、前記取付部の一方に取り付けられ前記トレイドアを常時閉鎖方向に付勢するねじりばねとを備えており、
前記記録媒体の再生又は記録を行う記録再生装置であって、
前記フロントパネルは貫通孔と、前記貫通孔の縁端部より前記フロントパネルの背面に向けて一体突設された凸部と、前記凸部の先端に一体突設され、前記貫通孔を覆うように形成された留部とを備えた係止部を有しており、
前記目隠し部材は背面に一体形成され前記貫通孔に嵌入されたリブを有しており、
前記ねじりばねは螺旋部と、前記螺旋部の一方の端部に連結し前記フロントパネルの背面と当接するフロントパネル当接部と、他方の端部に連結するとともに、前記トレイドアと係合させたトレイドア係合部とを有しており、
前記ねじりばねのフロントパネル当接部は前記貫通孔を横切るように配置されており、前記目隠し部材の前記リブと前記フロントパネルの前記係止部とで挟持されていることを特徴とする記録再生装置。
【請求項３】
前記ねじりばねのフロントパネル当接部は前記螺旋部の一方の端部より、接線方向に延びるものであることを特徴とする請求項２に記載の記録再生装置。
【請求項４】
前記ねじりばねのフロントパネル当接部は前記螺旋部の一方の端部より、軸方向に延びるものであることを特徴とする請求項２に記載の記録再生装置。
【請求項５】
記録媒体を載置することができるトレイを有し、
前記トレイが前記開口を出入りすることを特徴とする請求項２から請求項４のいずれかに記載の記録再生装置。
【発明の詳細な説明】
【技術分野】
【０００１】
本発明は、記録媒体を出し入れするときにドアを開閉する記録再生装置に関し、特に、前記ドアを閉鎖方向に付勢するコイルばねが脱落するのを防ぐように取り付けた記録再生装置に関するものである。
【背景技術】
【０００２】
現在、音響機器、映像機器等の電子機器の多くは記録メディアとして光ディスクが採用されている。前記光ディスクを記録メディアとして用いる電子機器（光ディスク装置）として、ディスクトレイに光ディスクを配置し、該ディスクトレイを摺動挿入又は排出することで、取り出し位置から再生／記録位置へ又はその逆に搬送するトレイローディング方式を採用しているものが多く用いられている。例えば前記光ディスク装置がＤＶＤ（Ｄｉｇｉｔａｌ  Ｖｅｒｓａｔｉｌｅ  Ｄｉｓｃ）プレーヤの場合、プレーヤに備えられたボタンや、リモートコントローラからの入力によって前記トレイの挿入、排出が行われる。
【０００３】
前記ＤＶＤプレーヤの前面の前記ディスクトレイが挿入、排出される部分には開口部が形成されており、該開口部には該ディスクトレイがプレーヤ内部に挿入されている状態のときに、内部が見えないようにするとともに、外部からの異物の進入を抑制するためのトレイドアが取り付けられている。前記トレイドアは前記ディスクトレイが排出されるときは該ディスクトレイの動きにあわせて開き、前記ディスクトレイが挿入されるときは該ディスクトレイの動きにあわせて閉じるように形成されている。
【０００４】
前記ＤＶＤプレーヤの前面の前記ディスクトレイが挿入、排出される部分には開口部が形成されており、該開口部には該ディスクトレイがプレーヤ内部に挿入されている状態のときに、内部が見えないようにするとともに、外部からの異物の進入を抑制するためのトレイドアが取り付けられている。前記トレイドアは前記ディスクトレイが排出されるときは該ディスクトレイの動きにあわせて開き、前記ディスクトレイが挿入されるときは該ディスクトレイの動きにあわせて閉じるように形成されている。
【０００５】
トレイドアの支軸にはねじりばねが巻回されて備えられている。このねじりばねの弾性力によって、前記トレイドアは閉鎖する方向に付勢されている（特開２００５−３２７３５４号公報、特開２００５−３２７３５７号公報参照）。
【０００６】
しかしながら、前記トレイドアに無理な力がかかり、前記トレイドアが破損したり外れたりしたときに、前記ねじりばねが前記トレイドアから脱落ことがある。前記ねじりばねは金属で形成されており、電子機器内部のプリント配線基板のパターン配線やプリント配線基板に実装された電子部品の端子と接触すると、回路を短絡させ、プリント配線基板に電子部品を破損させたり、発熱、発火させたりする不具合が発生する可能性がある。
【０００７】
また、前記ディスクトレイ等の可動部を駆動させるための駆動機構に用いられる駆動機構と噛み合うこともあり、その場合、駆動機構の動作を妨げてしまったり、最悪の場合、駆動機構を破損してしまうこともありえる。
【０００８】
そこで、特開２００６−４５４９号公報に記載の発明では、ねじりばねの脱落を阻止する脱落阻止手段が備えられているものが示されている。前記脱落阻止手段としては、ねじりばねと該ねじりばねと支軸との間に円筒軸を介在させるもの（特開２００６−４５４９号公報、図１等参照）、ねじりばねの一端を湾曲させて形成したリング部をフロントパネルの裏面に突設されたロックピンに係合し、ロックピンを加熱融解させて変形させ、抜け止めをするもの（特開２００６−４５４９号公報、図２、３等参照）、一対のロックピンに略Ｒ字状に折曲げたねじりばねの一端を係合させ、該一対のロックピンの先端どうしを連結する連結部を備えるもの（特開２００６−４５４９号公報、図４等参照）が示されている。
【０００９】
また、実用新案登録第３１０６７５６号公報に記載の考案では、回転式ドアに形成された回転軸とは別にトーションバネを取り付けるためのばね保持部が形成されており、ばね保持部の先端に前記ばね保持部の径方向に突設された抜止突起が形成されているものが示されている。
【特許文献１】特開２００６−４５４９号公報
【特許文献２】実用新案登録第３１０６７５６号公報
【特許文献３】特開２００５−３２７３５４号公報
【特許文献４】特開２００５−３２７３５７号公報
【発明の開示】
【発明が解決しようとする課題】
【００１０】
しかしながら、特開２００６−４５４９号公報に記載の発明では、ねじりばねの一端を脱落阻止手段として、脱落を阻止するための特殊な部材（円筒軸、連結部等）を利用したり、加熱融解を利用したりすることで行っており、それだけ、ねじりばねを取り付けるために、別途部材が必要であったり、特殊な加工方法が必要であったりする。
【００１１】
また、実用新案第３１０６７５６号公報に記載の考案では、トーションバネ（ねじりばね）を取り付けるためのばね保持部を別途形成しなくてはならない。
【００１２】
そこで本発明は、トレイドアがフロントパネルから脱落した場合であっても、前記トレイドアの支持軸に巻回されたねじりばねが脱落するのを抑制することができる光ディスク装置を提供することを目的とする。
【００１３】
また本発明は、特殊な部材や加工方法を用いることなくトレイドアの支持軸に巻回されたねじりばねの脱落を抑制でき、それだけ製造にかかる手間及びコストを低減することができる光ディスク装置を提供することを目的とする。
【課題を解決するための手段】
【００１４】
上記目的を達成するために本発明は、記録媒体が出入りする開口部を備えたフロントパネルと、前記フロントパネルの正面側に取り付けられた半透明の目隠し部材と、前記開口部に開閉可能に取り付けられ、常時閉鎖する方向に付勢されるトレイドアとを有し、前記フロントパネルはフロントパネルの裏面に一体突設され前記トレイドアを回動可能に支持するための一対のトレイドア取付部を備えており、前記トレイドアは長尺形状のドア本体と、前記ドア本体に一体的に形成され、前記フロントパネルの背面に形成されたトレイドア取付部と係合するための一対の取付部と、前記取付部の一方に取り付けられ前記トレイドアを常時閉鎖方向に付勢するねじりばねとを備えており、前記記録媒体の再生又は記録を行う記録再生装置であって、前記フロントパネルは貫通孔と、前記貫通孔の縁端部より前記フロントパネルの背面に向けて一体突設された凸部と、前記凸部の先端に一体突設され、前記貫通孔を覆うように形成された留部とを備えた係止部を有しており、前記目隠し部材は背面に一体形成され前記貫通孔に嵌入されたリブを有しており、前記ねじりばねは螺旋部と、前記螺旋部の一方の端部に連結し前記フロントパネルの背面と当接するフロントパネル当接部と、他方の端部に連結するとともに、前記トレイドアと係合させたトレイドア係合部とを有しており、前記ねじりばねは前記貫通孔を横切るように配置されており、前記目隠し部材の前記リブと前記フロントパネルの前記係止部とで挟持されていることを特徴とする。
【００１５】
この構成によると、前記目隠し部材の前記リブと前記フロントパネルの前記係止部とでねじりばねのフロントパネル当接部が挟持されるので、前記トレイドアが前記フロントパネルから外れた場合であっても、前記ねじりばねは前記フロントパネルから脱落しない。
【００１６】
これは、ねじりばねが内部に配置された配線基板や電子部品の端子、ケーブル等と当接してショートすることによる、故障や誤作動、発熱又は発火する等の不具合が発生するのを抑制することができる。
【００１７】
また、前記ねじりばねが駆動部にかみこんで駆動部を破損したり、駆動動力源を過負荷状態で駆動してしまったりする不具合を抑制することができる。さらに、記録媒体と接触して記録媒体を傷つけてしまい、記録又は再生できなくなる不具合が発生するのを抑制することができる。
【００１８】
上記構成において、前記ねじりばねのフロントパネル当接部は前記螺旋部の一方の端部より、接線方向に延びるものであってもよく、前記ねじりばねのフロントパネル当接部は前記螺旋部の一方の端部より、軸方向に延びるものであってもよい。
【００１９】
上記構成において前記記録媒体はテープ媒体であり、カートリッジに格納されているものであってもよく、光ディスクであってもよく、ディスク記録媒体であってカートリッジに格納されているものであってもよい。
【００２０】
記録媒体を載置することができるトレイを有し、前記トレイが前記開口を出入りするトレイローディング方式のものであってもよい。
【００２１】
本発明にかかる記録再生装置は次のようなものであってもよい。すなわち、光ディスクを載置することができるとともに前後進可能なディスクトレイと、前記光ディスクを挿入又は排出するときに前記ディスクトレイが出入りする開口部を備えたフロントパネルと、前記フロントパネルの正面側に取り付けられた半透明の目隠し部材と、前記開口部に開閉可能に取り付けられ常時閉鎖する方向に付勢されるトレイドアとを有し、前記フロントパネルはフロントパネルの裏面に一体突設され前記トレイドアを回動可能に支持するための一対のトレイドア取付部を備えており、前記トレイドアは長尺形状のドア本体と、前記ドア本体の裏側に一体突設され、前記フロントパネルの背面に形成されたトレイドア取付部と係合するための一対の取付部と、前記取付部の一方に取り付けられ前記トレイドアを常時閉鎖方向に付勢するねじりばねとを備えており、記光ディスクにレーザ光を照射することで再生／記録を行うことができる光ディスク装置であって、前記フロントパネルは貫通孔と、前記貫通孔の縁端部より前記フロントパネルの背面に向けて一体突設された凸部と、前記凸部の先端に一体突設され、前記貫通孔を覆うように形成された留部とを有する係止部を備えており、前記目隠し部材は背面に一体形成され前記貫通孔に嵌入されたリブを有しており、前記ねじりばねは螺旋部と、前記螺旋部の一方の端部を接線方向に伸ばすとともに軸方向に折り曲げ、前記フロントパネルの背面と当接するフロントパネル当接部と、他方の端部を接線方向に伸ばすとともに、前記トレイドアと係合させたトレイドア係合部とを有しており、前記ねじりばねのフロントパネル当接部は前記貫通孔を横切るように配置されており、前記目隠し部材の前記リブと前記フロントパネルの前記係止部とで挟持されていることを特徴とする光ディスク装置。
【発明の効果】
【００２２】
本発明によると、トレイドアがフロントパネルから脱落した場合であっても、前記トレイドアの支持軸に巻回されたねじりばねが脱落するのを抑制することができる光ディスク装置及び記録再生装置を提供することができる。
【００２３】
また本発明によると、特殊な部材や加工方法を用いることなくトレイドアの支持軸に巻回されたねじりばねの脱落を抑制でき、それだけ製造にかかる手間及びコストを低減することができる光ディスク装置及び記録再生装置を提供することができる。
【発明を実施するための最良の形態】
【００２４】
以下に本発明の実施形態を図面を参照して説明する。図１は本発明にかかる光ディスク装置の一例の正面図であり、図２は図１に示す光ディスク装置の前面部の側断面図であり、図３は図１に示す光ディスク装置のフロントパネルを背面側から見た拡大図である。図１に示す光ディスク装置はそれには限定されないが、ここではＤＶＤレコーダである。図１、図２に示すＤＶＤプレーヤＰＬは、フロントパネル１と、ＤＶＤメディアを再生するＤＶＤレコーダユニット２と、フロントパネル１の背面に取り付けられ開口部１１を開閉するトレイドア３と、トレイドア３を閉鎖する方向に付勢するねじりばね４とを有している。
【００２５】
フロントパネル１にはＤＶＤレコーダユニット２に備えられたディスクトレイ２１が前後進するときに出入りする開口部１１と、ＤＶＤメディアを挿入、排出するためのメディアボタン１２と、電源ボタン１３と、ＤＶＤプレーヤＰＬの状態を示す表示部１４と、背面より突出された係合部１５Ｒ、１５Ｌと、表示部１４等の正面側を覆う半透明の目隠し部材１０と、係合部１５Ｒの近傍に形成された係止部１６とを備えている。
【００２６】
図２に示すように開口部１１の上部にはトレイドア３が閉じるときに、閉じすぎないようにトレイドア３を停止するトレイドア停止リブ１１１が備えられている。係合部１５Ｒ、１５Ｌには係合部１５Ｒ、１５Ｌを貫通する係合孔１５１が形成されている。
【００２７】
係止部１６はフロントパネル１に形成された貫通孔１６１と、貫通孔１６１の辺縁部より背面に向けて突出した凸部１６２と、凸部１６２の先端に一体に形成され、凸部１６２に対して直交する留部１６３とを有している。
【００２８】
図２に示すように、ＤＶＤレコーダユニット２は、開口部１１を通過して外部に排出され、上部にＤＶＤメディアを載置する又はＤＶＤメディアを取り除くことで、ＤＶＤメディアを挿入排出するディスクトレイ２１を備えている。また、図示は省略しているが、ＤＶＤレコーダユニット２にはＤＶＤメディアにレーザ光を照射する光ヘッド、ＤＶＤメディアを回転駆動するディスク駆動機構等のＤＶＤメディアを再生するための装置が備えられている。
【００２９】
トレイドア３は矩形状に形成された本体部３１と、裏面に突設された左右一対の側面視略コの字形状のアーム３２Ｒ、３２Ｌと、一対のアーム３２Ｒ、３２Ｌそれぞれの先端より一体的に突設された支持軸３３Ｒ、３３Ｌとを有している。一対のアーム３２Ｒ、３２Ｌのうち図３中左側に示されるアーム３２Ｒと連設された支持軸３３Ｒには、ねじりばね４が巻回されて配置されている。
【００３０】
トレイドア３はねじりばね４によって支持軸３３Ｒ、３３Ｌを中心に閉じる方向に回動するように付勢されている。トレイドア３はトレイドア停止リブ１１１と当接することで、内部に回動しすぎないように規制されている。
【００３１】
ディスクトレイ２１の排出時の動作を説明する。トレイドア３が閉鎖状態のときに、メディアボタン１２が押されると、ディスクトレイ２１がフロントパネル１に向けて前進する。ディスクトレイ２１の先端部がトレイドア３の裏面と接触し、トレイドア３を押す。ディスクトレイ２１はねじりばね４のトレイドア３を閉じようとする力に抗してトレイドア３を押しつつ開口部１１より排出される。このとき、トレイドア３は支持軸３３Ｒ、３３Ｌを中心に外側下方に回動する。
【００３２】
目隠し部材１０は、半透明の板状の部材であり、フロントパネル１の正面側に表示部１４を覆うように配置され、表示部１４に紫外線等が入射して表示部１４の表示能力が低下するのを防いでいる。また、リモートコントローラからの信号を受信するための受信部が配置される受信孔部（図示省略）を覆うこともでき、受信孔部からの水や塵埃等の異物が混入するのを防いだり、外観が悪いのを防いだりしている。
【００３３】
目隠し部材１０は、リブ１０１が備えられており、そのうちのひとつは係止部１６の貫通孔１６１に挿入されている。また、それ以外のリブ（図示省略）はフロントパネル１に形成されている係合孔（図示省略）に嵌入されている。
【００３４】
ディスクトレイ２１が外部に排出されているときには、トレイドア３はねじりばね４から付勢される力によって、トレイドア３の下面と接触している。ディスクトレイ２１が排出されている状態で、メディアボタン１２が押されると、ディスクトレイ２１は後進する。ディスクトレイ２１が後進し、ディスクトレイ２１の先端がフロントパネル１の内部にひきこまれる。そして、トレイドア３はねじりばね４からの力で閉鎖する方向に回動され、最終的には開口部１１を閉鎖する。
【００３５】
次に、ねじりばね４の配置について説明する。図４はフロントパネルのねじりばねが取り付けられている部分の上側から見た拡大断面図であり、図５は図４に示すフロントパネルの側面から見た拡大断面図である。フロントパネル１に形成された係止部１６は、貫通孔１６１を有している。貫通孔１６１は矩形状であり、係合部１５Ｒと平行に形成されている。また、係止部１６は凸部１６２を有しており、係合部１５Ｒと平行に形成されている。
【００３６】
ねじりばね４は、らせん状に巻かれたコイル部４０と、コイル部４０の一方の端部がコイル部４０の接線方向に延びて形成された第１端部４１と、コイル部４０の他方の端部がコイル部４０の接線方向に延びた第２端部４２とを有している（図４参照）。
【００３７】
トレイドア３のアーム３２Ｒには、ねじりばね４の第１端部４１と当接するストッパリブ３２１が形成されている。ストッパリブ３２１は、アーム３２Ｒの支持軸３３Ｒと同方向に突設されるものであり、第１端部４１の少なくとも一部と係合するものである。図４、図５に示すように、ねじりばね４のコイル部４０は支持軸３３Ｒのアーム３２Ｒと係合部１５Ｒとの間の部分に巻回されている。
【００３８】
図４に示すように、コイル部４０は支持軸３３Ｒに外嵌され、第１端部４１がストッパリブ３２１と係合されている。また、支持軸３３Ｒは係合孔１５１に回動可能に支持されている。このとき、第２端部４２は係止部１６の貫通孔１６１を横切るように配置されており、凸部１６２及び留部１６３と当接している。フロントパネル１には正面側から、目隠し部材１０が配置されており、目隠し部材１０のリブ１０１が貫通孔１６１を貫通している。目隠し部材１０のリブ１０１の先端部と留部１６３とがねじりばね４の第２端部４２を挟んでいる。目隠し部材１０をフロントパネル１に固定することで、ねじりばね４の第２端部４２は、リブ１０１の先端と留部１６３とで挟持し、ねじりばね４をずれないように保持することが可能である。
【００３９】
前記目隠し部材１０を前記フロントパネル１に取り付ける方法は、接着や溶着によって行われるものであってもよいが、前記目隠し部材１０が前記フロントパネル１に対して着脱可能であるものが好ましく、たとえば、前記目隠し部材１０の背面に形成されたリブ（図示省略）にくさび状の逆止部が形成されたものや、ボルト留めによるもの等を挙げることができる。
【００４０】
このようにねじりばね４を配置し、第２端部４２がリブ１０１と留部１６３とで挟持されていることで、トレイドア３がはずれ、支持軸３３Ｒが係合孔１５１から脱離してしまっても、第２端部４２が目隠し部材１０のリブ１０１と係止部１６の留部１６３にて挟持された状態を保持することがきる。これにより、トレイドア３がフロントパネル１から外れてしまっても、第２端部４２がリブ１０１と留部１６３とで保持された状態で維持されるので、ねじりばね４がフロントパネル１から脱落するのを抑制することができる。
【００４１】
例えば、トレイドア３に無理な力が付勢し、トレイドア３がフロントパネル１より外れることで、支持軸３３Ｒが係合部１５Ｒの係合孔１５１より抜けても、ねじりばね４の第２端部４２は目隠し部材１０のリブ１０１と係止部１６の留部１６３とで挟持された状態を維持し、ねじりばね４がフロントパネル１より脱落するのを抑制することができる。
【００４２】
このように、トレイドア３が万一フロントパネル１より外れてしまった場合であっても、金属製のねじりばね４がＤＶＤレコーダ内部に配置された基板（図示省略）上に落ちるのを防ぐことができ、これにより、基板のプリント配線や基板に実装されている電子機器の端子と接触して短絡させ、ＤＶＤレコーダの誤作動や故障の発生を抑制し、異常な発熱や発火を抑制することができる。
【００４３】
また、ねじりばね４がＤＶＤレコーダユニット２の内部に侵入し、ＤＶＤレコーダユニット２に配置された、光ディスクメディア、ディスクトレイ２１、光ヘッド（図示省略）の駆動機構（図示省略）や光ディスク駆動機構（図示省略）等の駆動部の動作を妨げたり、破損したりする不具合の発生を抑制することができる。
【００４４】
係止部１６をこのように係合部１５Ｒに対して平行な方向に形成することで、ばねの製造が容易になる。また、目隠し部材１０のリブ１０１、ストッパリブ３２１、係止部１６、ねじりばね４の形状及び配置を適正化することで、第１端部４１と第２端部４２とを入れ替えても使えるようになり、それだけ、製造にかかる手間を少なくすることが可能である。
【００４５】
図６は本発明にかかる光ディスク装置の他の例のねじりばねが取り付けられている部分の背面拡大図である。図６に示す光ディスク装置ではねじりばね５、係止部１７の形状が異なる以外は図４に示す光ディスク装置と同じ構成であり、実質上同一の部分には、同一の符号が付してある。
【００４６】
図６に示すように、ねじりばね５は第１端部５１及び第２端部５２ともに、コイル部５０の接線方向に伸びるとともに、第２端部５２は途中で屈曲した形状を有するものである。コイル部５０はトレイドア３の支持軸３３Ｒに巻回されて配置されるものであり、第１端部５１はストッパリブ３２１と係合する。
【００４７】
係止部１７は、貫通孔１７１を有しており、貫通孔１７１は係合部１５Ｒに対して直交するように形成されている。また、係止部１７は凸部１７２を有しており、凸部１７２も係合部１５Ｒに対して直交するように形成されている。貫通孔１７１には、目隠し部材１０のリブ１０２が貫通しており、リブ１０２の先端部がねじりばね５の第２端部５２を押しており、第２端部５２はリブ１０２と留部１７３とで挟持されている。
【００４８】
係止部１７をこのように形成し、それに対応することができるねじりばね５を用いることで、係止部１７はねじりばね５の第２端部５２の屈曲部より先端部を水平に挟持している。このように、第２端部５２を留部１７３とリブ１０２とが水平に挟持するので、挟持力が強くない場合であっても、ねじりばね５の脱落を抑制することができる。
【００４９】
図７は本発明にかかる光ディスク装置のさらに他の例のねじりばねが取り付けられている部分の背面拡大図である。図７に示す光ディスク装置では係止部１８の形状が異なる以外は図６に示す光ディスク装置と同じ構成であり、実質上同一の部分には、同一の符号が付してある。
【００５０】
係止部１８の貫通孔１８１は円形状であり、凸部１８２は直方体形状を、留部１８３は円盤形状を有するものである。また、目隠し部材１０のリブ１０３も円柱状に形成されている。貫通孔１８１及び留部１８３とが円形状を有することで、ねじりばねの第２端部が延伸する方向に関係なく目隠し部材１０のリブ１０２と留部１８３とで挟持することが可能である。
【００５１】
また、上記各実施例において、ねじりばね４（５）をトレイドア３の正面から見て右側に形成されたアーム３２Ｒに突設された支持軸３３Ｒに巻回されているものを例に説明しているが、それに限定されるものではなく、左の係合部１５Ｌの近傍に係止部１６（１７）を形成しておき、左側のアーム３２Ｌの支持軸３３Ｌに巻回して取り付けるものであっても良い。さらには、両方の支持軸３３Ｒ、３３Ｌに巻回して配置するものであってもよい。
【００５２】
上記実施例において、光ディスク装置としてＤＶＤメディアの再生を行うＤＶＤプレーヤを採用しているが、それに限定されるものではなく、トレイを用いて光ディスクを挿入する光ディスク装置（例えば、ＣＤ、ＬＤ、ＢＤ等）を広く採用することができる。また、光ディスク装置に限定されるものではなく、記録メディアを出し入れするときにドアが開閉する記録再生装置を挙げることができる。
【００５３】
以上、発明の実施形態を具体的に説明したが、本発明は上記実施形態に限定するものではなく、その要旨を逸脱しない範囲で種々変更可能である。
【産業上の利用可能性】
【００５４】
本発明は、ＤＶＤ、ＣＤ、ＢＤ等のメディアの出し入れを行うときに開閉するドア部材を備えた記録再生装置において適用することができる。
【図面の簡単な説明】
【００５５】
【図１】本発明にかかる光ディスク装置の一例の正面図である。
【図２】図１に示す光ディスク装置の前面部の側断面図である。
【図３】図１に示す光ディスク装置のフロントパネルを背面側から見た拡大図である。
【図４】フロントパネルのねじりばねが取り付けられている部分の上側から見た拡大断面図である。
【図５】図４に示すフロントパネルの側面から見た拡大断面図である。
【図６】本発明にかかる光ディスク装置の他の例のねじりばねが取り付けられている部分の背面拡大図である。
【図７】本発明にかかる光ディスク装置のさらに他の例のねじりばねが取り付けられている部分の背面拡大図である。
【符号の説明】
【００５６】
ＰＬ  ＤＶＤプレーヤ
１  前面パネル
１０  目隠し部材
１１  開口部
１１１  停止リブ
１２  メディアボタン
１３  電源ボタン
１４  表示部
１５Ｌ、１５Ｒ  係合部
１５１  係合孔
１６  係止部
２  ＤＶＤレコーダユニット
２１  ディスクトレイ
３  トレイドア
３１  本体部
３２Ｌ、３２Ｒ  アーム
３３Ｌ、３３Ｒ  支持軸
４  ねじりばね
【図１】
2008135108.tif 000003
【図２】
2008135108.tif 000004
【図３】
2008135108.tif 000005
【図４】
2008135108.tif 000006
【図５】
2008135108.tif 000007
【図６】
2008135108.tif 000008
【図７】
2008135108.tif 000009